【手続補正書】
【提出日】平成26年1月14日(2014.1.14)
【手続補正１】
【補正対象書類名】特許請求の範囲
【補正対象項目名】全文
【補正方法】変更
【補正の内容】
【特許請求の範囲】
【請求項１】
衛星信号を受信する受信回路を有する衛星信号受信装置において、
光エネルギーを電気エネルギーに変換するソーラーセルと、
前記ソーラーセルの発電状態を検出する発電状態検出回路と、
前記受信回路と前記発電状態検出回路を制御する制御回路とを備え、
前記制御回路は、
前記ソーラーセルに当たる光の照度が予め設定された照度閾値レベル以上である高照度状態であるか、前記照度閾値レベルよりも低い低照度状態であるかを判定するための閾値を設定し、前記発電状態検出回路で検出される検出値と前記閾値とを比較して前記高照度状態であると判定された場合に、前記受信回路を作動し、
前記受信回路で前記衛星信号の受信に失敗した場合には、前記閾値を変更する
ことを特徴とする衛星信号受信装置。
【請求項２】
請求項１に記載の衛星信号受信装置において、
前記発電状態検出回路で検出された検出値は、前記ソーラーセルの出力値であり、
前記制御回路は、
前記ソーラーセルの出力値と前記閾値とを比較して前記高照度状態であると判定された場合に、前記受信回路を作動し、
前記受信回路で前記衛星信号の受信に失敗した場合には、前記照度閾値レベルが高くなるように前記閾値を設定し直す
ことを特徴とする衛星信号受信装置。
【請求項３】
請求項１に記載の衛星信号受信装置において、
前記発電状態検出回路で検出された検出値は、前記ソーラーセルの出力値と前記照度閾値レベルに対応して設定された所定値とを比較して前記高照度状態であるか、前記低照度状態であるかを判定した場合に、前記ソーラーセルの出力値が継続して前記高照度状態となっている時間である発電判定時間であり、
前記制御回路は、
前記発電判定時間が予め設定された閾値以上である場合に、前記受信回路を作動し、
前記受信回路で前記衛星信号の受信に失敗した場合には、前記閾値を長くなるように設定し直す
ことを特徴とする衛星信号受信装置。
【請求項４】
請求項２または請求項３に記載の衛星信号受信装置において、
前記制御回路は、
前記受信回路で位置情報衛星の検索を行い、前記受信回路で前記衛星信号が検出されずに、前記衛星信号の受信に失敗した場合には、前記照度閾値レベルが高くなるように前記閾値を設定し直すか、または前記発電判定時間の閾値を長くなるように設定し直し、
前記受信回路で前記衛星信号が検出されていたが、前記衛星信号の受信に失敗した場合には、前記閾値をそのまま維持する
ことを特徴とする衛星信号受信装置。
【請求項５】
請求項２から請求項４のいずれかに記載の衛星信号受信装置において、
前記制御回路は、
前記発電状態検出回路で検出された検出値に基づいて検出された前記低照度状態が、予め設定された発電状態検出時間以上の間継続した場合には、前記照度閾値レベルが低くなるように前記閾値を設定し直すか、または前記発電判定時間の閾値を短くなるように設定し直す
ことを特徴とする衛星信号受信装置。
【請求項６】
請求項５に記載の衛星信号受信装置において、
前記制御回路は、
複数回連続して、前記照度閾値レベルが低くなるように前記閾値を設定し直すか、または前記発電判定時間の閾値を短くなるように設定し直した場合には、前記受信回路及び前記発電状態検出回路をスリープ状態に移行させ、
前記スリープ状態から通常状態に移行する状態を検出し、前記受信回路及び前記発電状態検出回路が前記スリープ状態から前記通常状態に移行する場合には、前記閾値を初期値に設定し直す
ことを特徴とする衛星信号受信装置。
【請求項７】
請求項１から請求項６のいずれかに記載の衛星信号受信装置において、
前記制御回路は、
前記衛星信号の受信処理を所定の時間間隔で実行するとともに、
前記受信回路が前記衛星信号の受信に成功した場合の前記時間間隔を第一時間間隔とし、
前記受信回路が前記衛星信号の受信に失敗した場合の前記時間間隔を第二時間間隔とした場合に、
前記第一時間間隔を、前記第二時間間隔よりも長くする
ことを特徴とする衛星信号受信装置。
【請求項８】
請求項１から請求項７のいずれかに記載の衛星信号受信装置において、
前記制御回路は、
前記受信回路で前記衛星信号の受信に複数回連続して失敗した場合に、前記閾値を変更する
ことを特徴とする衛星信号受信装置。
【請求項９】
衛星信号を受信する受信回路と、
光エネルギーを電気エネルギーに変換するソーラーセルと、
前記ソーラーセルの発電状態を検出する発電状態検出回路とを有する衛星信号受信装置の制御方法であって、
前記ソーラーセルに当たる光の照度が予め設定された照度閾値レベル以上である高照度状態であるか、前記照度閾値レベルよりも低い低照度状態であるかを判定するための閾値を設定し、前記発電状態検出回路で検出される検出値と前記閾値とを比較して前記高照度状態であると判定された場合に、前記受信回路を作動し、
前記受信回路で前記衛星信号の受信に失敗した場合には、前記閾値を変更する
ことを特徴とする衛星信号受信装置の制御方法。
【請求項１０】
請求項１から請求項８のいずれかに記載の衛星信号受信装置を備えたことを特徴とする電子機器。
【手続補正２】
【補正対象書類名】明細書
【補正対象項目名】０００８
【補正方法】変更
【補正の内容】
【０００８】
本発明の衛星信号受信装置は、衛星信号を受信する受信回路を有する衛星信号受信装置において、光エネルギーを電気エネルギーに変換するソーラーセルと、前記ソーラーセルの発電状態を検出する発電状態検出回路と、前記受信回路と前記発電状態検出回路を制御する制御回路とを備え、前記制御回路は、前記ソーラーセルに当たる光の照度が予め設定された照度閾値レベル以上である高照度状態であるか、前記照度閾値レベルよりも低い低照度状態であるかを判定するための閾値を設定し、前記発電状態検出回路で検出される検出値と前記閾値とを比較して前記高照度状態であると判定された場合に、前記受信回路を作動し、前記受信回路で前記衛星信号の受信に失敗した場合には、前記閾値を変更することを特徴とする。
【手続補正３】
【補正対象書類名】明細書
【補正対象項目名】００１０
【補正方法】変更
【補正の内容】
【００１０】
本発明の衛星信号受信装置においては、前記発電状態検出回路で検出された検出値は、前記ソーラーセルの出力値であり、前記制御回路は、前記ソーラーセルの出力値と前記閾値とを比較して前記高照度状態であると判定された場合に、前記受信回路を作動し、前記受信回路で前記衛星信号の受信に失敗した場合には、前記照度閾値レベルが高くなるように前記閾値を設定し直すことが好ましい。
【手続補正４】
【補正対象書類名】明細書
【補正対象項目名】００１２
【補正方法】変更
【補正の内容】
【００１２】
本発明の衛星信号受信装置においては、前記発電状態検出回路で検出された検出値は、前記ソーラーセルの出力値と前記照度閾値レベルに対応して設定された所定値とを比較して前記高照度状態であるか、前記低照度状態であるかを判定した場合に、前記ソーラーセルの出力値が継続して前記高照度状態となっている時間である発電判定時間であり、前記制御回路は、前記発電判定時間が予め設定された閾値以上である場合に、前記受信回路を作動し、前記受信回路で前記衛星信号の受信に失敗した場合には、前記閾値を長くなるように設定し直すことが好ましい。
【手続補正５】
【補正対象書類名】明細書
【補正対象項目名】００１４
【補正方法】変更
【補正の内容】
【００１４】
本発明の衛星信号受信装置においては、前記制御回路は、前記受信回路で位置情報衛星の検索を行い、前記受信回路で前記衛星信号が検出されずに、前記衛星信号の受信に失敗した場合には、前記照度閾値レベルが高くなるように前記閾値を設定し直すか、または前記発電判定時間の閾値を長くなるように設定し直し、前記受信回路で前記衛星信号が検出されていたが、前記衛星信号の受信に失敗した場合には、前記閾値をそのまま維持することが好ましい。
【手続補正６】
【補正対象書類名】明細書
【補正対象項目名】００１６
【補正方法】変更
【補正の内容】
【００１６】
本発明の衛星信号受信装置においては、前記制御回路は、前記発電状態検出回路で検出された検出値に基づいて判定された前記低照度状態が、予め設定された発電状態検出時間以上の間継続した場合には、前記照度閾値レベルが低くなるように前記閾値を設定し直すか、または前記発電判定時間の閾値を短くなるように設定し直すことが好ましい。
【手続補正７】
【補正対象書類名】明細書
【補正対象項目名】００１８
【補正方法】変更
【補正の内容】
【００１８】
本発明の衛星信号受信装置においては、前記制御回路は、複数回連続して、前記照度閾値レベルが低くなるように前記閾値を設定し直すか、または前記発電判定時間の閾値を短くなるように設定し直した場合には、前記受信回路及び前記発電状態検出回路をスリープ状態に移行させ、前記スリープ状態から通常状態に移行する状態を検出し、前記受信回路及び前記発電状態検出回路が前記スリープ状態から前記通常状態に移行する場合には、前記閾値を初期値に設定し直すことが好ましい。
【手続補正８】
【補正対象書類名】明細書
【補正対象項目名】００２２
【補正方法】変更
【補正の内容】
【００２２】
本発明の衛星信号受信装置においては、前記制御回路は、前記受信回路で前記衛星信号の受信に複数回連続して失敗した場合に、前記閾値を変更することが好ましい。
【手続補正９】
【補正対象書類名】明細書
【補正対象項目名】００２４
【補正方法】変更
【補正の内容】
【００２４】
本発明の衛星信号受信装置の制御方法は、衛星信号を受信する受信回路と、光エネルギーを電気エネルギーに変換するソーラーセルと、前記ソーラーセルの発電状態を検出する発電状態検出回路とを有する衛星信号受信装置の制御方法であって、前記ソーラーセルに当たる光の照度が予め設定された照度閾値レベル以上である高照度状態であるか、前記照度閾値レベルよりも低い低照度状態であるかを判定するための閾値を設定し、前記発電状態検出回路で検出される検出値と前記閾値とを比較して前記高照度状態であると判定された場合に、前記受信回路を作動し、前記受信回路で前記衛星信号の受信に失敗した場合には、前記閾値を変更することを特徴とする。